(57)【特許請求の範囲】
【請求項１】
予め段階的に設定された通信速度の上限値毎に、通信アプリケーションに応じた複数の閾値を記憶した記憶手段と、
通信アプリケーションを実行する際に、該通信アプリケーションに応じた前記閾値を前記記憶手段より選択し、該選択した閾値に基づいて、無線基地局への上りデータの通信速度の上限値を制御する制御手段と、
を具備することを特徴とする無線通信端末。
【請求項２】
予め段階的に設定された通信速度の上限値毎に複数の閾値を定義した通信設定を、無線基地局との間で複数設定する設定手段と、
前記複数の通信設定の中から、起動する通信アプリケーションに応じて前記通信設定を選択し、該選択した通信設定の閾値に基づいて、前記無線基地局への上りデータの通信速度の上限値を制御する制御手段と、
を具備することを特徴とする無線通信端末。
【請求項３】
前記制御手段は、前記通信アプリケーションを実行する際に、該通信アプリケーションに応じた前記閾値を前記無線基地局に通知する
ことを特徴とする請求項１に記載の無線通信端末。
【請求項４】
予め段階的に設定された通信速度の上限値毎に、通信アプリケーションに応じた複数の閾値を記憶し、
通信アプリケーションを実行する際に、該通信アプリケーションに応じた前記閾値を選択し、該選択した閾値に基づいて、無線基地局への上りデータの通信速度の上限値を制御する無線通信方法。
【請求項５】
予め段階的に設定された通信速度の上限値毎に複数の閾値を定義した通信設定を、無線通信端末と無線基地局との間で複数設定し、
前記複数の通信設定の中から、起動する通信アプリケーションに応じて前記通信設定を選択し、該選択した通信設定の閾値に基づいて、前記無線基地局への上りデータの通信速度の上限値を制御することを特徴とする無線通信方法。
【発明の詳細な説明】
【技術分野】
【０００１】
本発明は、確率に基づき段階的に上限値を上げ下げすることにより上りデータの通信速度を制御する無線通信端末および無線通信方法に関するものである。
【背景技術】
【０００２】
CDMA2000 1xEV-DO（以下、1xEV-DOという）システムにおいて、携帯電話等の無線通信端末の上りのデータ通信速度は、基地局から所定のタイミング毎に送信される通信速度の上限値の上げ下げを指示する情報「RAbit（Reverse Activity Bit）」と、無線通信端末と基地局とのセッション確立時に決定される閾値とに基づいて制御される。
【０００３】
図７は、1xEV-DOシステムで使用されるデータ通信速度変更試験テーブルである（非特許文献１参照）。
【０００４】
図７に示すように、1xEV-DOにおいて、データ通信速度の上限値は、9.6kbps、19.2kbps、38.4kbps、76.8kbps、153.6kbpsの5段階に分かれており、無線通信端末が無線基地局と通信を開始すると、まず一番遅い通信速度（9.6kbps）で通信を開始する。その後、基地局から与えられるRAbitを無線通信端末が受信して通信速度を調整する。
【０００５】
RAbitとは、無線通信端末が現在接続している基地局、及びハンドオフ対象とする周辺基地局の混雑具合によって変動するビット値である。また、基地局の混雑とは、その基地局に多くの無線通信端末が集中して接続した場合や、通信回線に輻輳が生じた場合などである。
【０００６】
基地局において通信が混雑していない場合、即ち、通信速度を上げることが可能な場合は、RAbitは「0」にセットされる。一方、基地局において通信が混雑していると判断された場合、即ち、通信速度を上げることが好ましくない場合は、RAbitは「1」にセットされる。
【０００７】
図８は、1xEV-DO対応の無線通信端末が行うデータ通信速度の変更処理を示すフローチャートである。
【０００８】
1xEV-DO対応無線通信端末は、まず、一番低い通信速度（9.6kbps）で通信を開始する（ステップ９００１）。
【０００９】
基地局からRAbitを受信すると、受信したRAbitが「0」であるか否かを判断する。（ステップ９００２）。RAbitが「0」であると判断した場合は（ステップ９００２でＹＥＳ）、現在の通信速度の上限値を一段階上げる方向に動作する。この場合、通信速度は、絶対的に上げるのではなく確率的に上げるよう構成されている。
【００１０】
まず、乱数ｘ（0＜ｘ＜1）を発生する（ステップ９００３）。発生した乱数ｘが通信速度を変更させるための閾値αよりも小さいか否かを判別する（ステップ９００４）。ここで、閾値αは、図７に示すように、現在の通信速度によって異なり、例えば、9.6kbpsから19.2kbpsに一段階上げようとするときは、閾値αは「48」を「255」で除算した値、すなわち「48／255」となる。この例では、乱数ｘが「48／255」よりも大きいか小さいかを判断する。
【００１１】
乱数ｘが閾値αよりも小さいと判断した場合は（ステップ９００４で）、現在の通信速度の上限値を一段階上げる（ステップ９００５）。例えば、現在の通信速度の上限値が9.6kbpsであれば、一段階上の19.2kbpsに変更する。一方、乱数ｘが閾値α以上であると判断した場合は、現在の通信速度の上限値を維持する（ステップ９００６）。例えば、現在の通信速度が9.6kbpsであれば9.6kbpsを維持する。
【００１２】
一方、RAbitが「1」であると判断した場合は（ステップ９００７）、現在の通信速度の上限値を一段下げる方向に動作する。すなわち、まず、乱数ｘ（0＜x＜1）を発生し（ステップ９００７）、乱数ｘと閾値α（RAbitが「0」であるときの閾値αと区別するため、図中はα’と記す。）とを比較する（ステップ９００８）。乱数ｘが閾値αよりも小さいと判断した場合は（ステップ９００８でＹＥＳ）、現在の通信速度の上限値を一段下げる（ステップ９００９）。例えば、現在の通信速度が19.2kbpsであれば、一段下の9.6kbpsに変更する。一方、乱数ｘが閾値α以上であると判断した場合は（ステップ９００８でＮＯ）、現在の通信速度の上限値を維持する（ステップ９００６）。例えば、現在の通信速度が19.2kbpsであれば19.2kbpsを維持する。
【００１３】
このように、1xEV-DOシステムにおいて、無線通信端末は、基地局から所定のタイミング毎に送信されるRAbitと無線通信端末と基地局とのセッション確立時に決定される閾値とに基づいて、少なくとも上り通信における通信速度の上限値を、一段階上げるか下げるか、維持するかを制御する。
【００１４】
ところで、現在、上記1xEV-DOの通信方式を拡張したCDMA2000 1xEV-DO rev.A（以下、1xEV-DO rev.Aという。また、拡張前の通信方式を1xEV-DO rev.0という。）の検討が進んでいる。この1xEV-DO rev.Aに新たに追加される機能に、QoS（Quality of Service）制御がある。QoS制御は、無線通信端末上で実行されるアプリケーション毎に優先度を設け、優先度の高い通信に確実に帯域を割り当てるという制御である。すなわち、前述のような確率によって段階的な通信速度の制御を行うのではなく、無線通信端末上で実行されるアプリケーションが必要とする通信速度を通信開始時から確保することができ、また、通信中においてもアプリケーションが必要とする通信速度に応じて比較的自由に通信速度を変更する事ができる。
【非特許文献１】“cdma2000 High Rate Packet Data Air Interface 3GPP2 C.S0024 Version 4.0 section8.5.6.1.5.2 Rate Control”、３ＧＰＰ２、２００２年１０月
【発明の開示】
【発明が解決しようとする課題】
【００１５】
1xEV-DO rev.A対応の無線通信端末上で、ある程度の通信速度を要求するアプリケーションを実行する場合にも、当該端末が1xEV-DO rev.0環境下にいると、まずは9.6kbpsから通信を開始し、上述の確率による通信速度上昇試験を通らなければ、必要とする通信速度を得ることができない。しかしながら、上記従来の技術では、各通信速度の上限値毎に閾値αが一つずつしか与えてられていないため、遅延を許さないある程度の速度が必要とされる通信でも低速で実行可能な通信でも、全ての通信の通信速度の上げ下げが同確率で制御されてしまう。
【００１６】
例えば、IP電話を実行する場合について述べる。このIP電話は音声データをIPパケット（VoIP）化し、通常のIP網を経由して相手に音声を届けるものである。専用の音声網（回線交換網）を使用しないため、経路上で遅延が発生しやすいが、音声通話であるため一定時間以上の遅延は許されない仕様になっている。つまり、一般的に70〜80kbps程度の通信速度が要求されるが、1xEV-DO rev.0では必ず9.6kbpsから始まり、要求する速度を満たすまでには上述の通信速度上昇試験を少なくとも3回必要とする。実際には、上述の通信速度上昇試験は確率に支配され、通信速度が高くなるに従い上昇できる確率も低くなるため、相当数の試験をパスしなけば必要な速度を得ることができず、「遅延」が発生する。
【００１７】
また、IP電話では、話していない側のデータを送信しない、つまり、無音時間はデータを転送しないようにすることで帯域の有効利用を図る「無音圧縮」という方法を使用しており、ユーザが相手の話を聞いている間のデータ送信を行わず、話し始める時にデータの送信を開始する。すなわち、1xEV-DO rev.0環境下においてIP電話を実行する場合、通話中において話し始める時の上り通信速度は必ず9.6kbpsから始まり、上述の通信速度上昇試験では通信速度が必要十分な速度に上がるまでに時間を要するため、話し始め部分で常に遅延が発生するようになる。
【課題を解決するための手段】
【００１８】
上記課題を解決するため、請求項1に記載の発明の無線通信端末は、予め段階的に設定された通信速度の上限値毎に、通信アプリケーションに応じた複数の閾値を記憶した記憶手段と、通信アプリケーションを実行する際に、該通信アプリケーションに応じた前記閾値を前記記憶手段より選択し、該選択した閾値に基づいて、前記無線基地局への上りデータの通信速度の上限値を制御する制御手段とを具備することを特徴とする。
【００１９】
また、請求項２に記載の発明の無線通信端末は、通信アプリケーションに応じて、予め段階的に設定された通信速度の上限値毎に最適な閾値を定義した複数の通信設定を、無線基地局との間で設定する設定手段と、起動する通信アプリケーションに応じて、前記複数の通信設定を選択使用し、前記無線基地局への上りデータの通信速度の上限値を制御する制御手段を具備することを特徴とする。
【００２０】
また、請求項３に記載の発明、請求項１に記載の発明において、前記設定手段は、前記通信アプリケーションを実行する際に、該通信アプリケーションに応じた前記閾値を前記無線基地局に通知することを特徴とする。
【００２１】
また、請求項４に記載の発明の無線通信方法は、予め段階的に設定された通信速度の上限値毎に、通信アプリケーションに応じた複数の閾値を記憶し、通信アプリケーションを実行する際に、該通信アプリケーションに応じた前記閾値を選択し、該選択した閾値に基づいて、前記無線基地局への上りデータの通信速度の上限値を制御する無線通信方法。
【００２２】
また、請求項５に記載の発明の無線通信方法は、通信アプリケーションに応じて、予め段階的に設定された通信速度の上限値毎に最適な閾値を定義した複数の通信設定を、無線通信端末と無線基地局との間で設定し、起動する通信アプリケーションに応じて、前記複数の通信設定を選択使用し、前記無線基地局への上りデータの通信速度の上限値を制御することを特徴とする。
【発明の効果】
【００２３】
本発明によれば、通信速度の上げ下げを制御する閾値αの値を複数用意することにより、高い速度を要求する通信については高確率で通信速度を上げることができ、通信アプリケーションのサービス品質の低下を防ぐことができる。
【発明を実施するための最良の形態】
【００２４】
以下に、本発明の実施の形態を図面を参照して詳細に説明する。
【００２５】
図１は、本発明の第一の実施の形態である無線通信端末の機能構成を示すブロック図である。
【００２６】
無線通信端末１００は、1xEV-DO rev.A対応端末であり、無線基地局２００は、1xEV-DO対応の無線基地局である。
【００２７】
無線通信端末１００は、IP電話等のアプリケーションを実行する通信アプリケーション実行部１１、無線基地局２００からのデータを受信するデータ受信部１２、無線通信端末１００から無線基地局２００へデータを送信するデータ送信部１３、から構成され、さらに、通信レベル判定部１４１、乱数発生部１４２、RAbit抽出部１４３、通信速度設定部１４４を具備する。
【００２８】
データ受信部１２は、無線基地局２００から受信した無線信号（RF信号）を復調し、復調された受信データをデコードして通信アプリケーション実行部１１に与える。
【００２９】
RAbit抽出部１４３は、無線基地局２００より定期的送信され、データ受信部１２で受信されるRAbitを、データ受信部１２より抽出し、抽出したRAbitを通信速度設定部１４４に与える。
【００３０】
通信レベル判定部１４１は、通信アプリケーション実行部１１で実行されるアプリケーションが必要とする通信速度を判定し、判定した通信速度に応じた通信レベルを設定して通信速度設定部１４４に通知する。
【００３１】
乱数発生部１４２は、所定のタイミングで定期的に乱数x（０＜ｘ＜１）を発生し、発生した乱数を通信速度設定部１４４に与える。
【００３２】
通信速度設定部１４４は、後に詳述する通信速度変更試験テーブル１５０を有し、RAbit抽出部１４３から通知されるRAbit、通信レベル判定部１４１より通知される通信レベル、および、乱数発生部１４２より与えられる乱数ｘに基づき、送信データの通信速度の上限値を設定し、設定した通信速度の上限値をデータ送信部１３に通知する。
【００３３】
データ送信部１３は、通信速度設定部１４４より通知された通信速度の上限値に基づき、通信アプリケーション実行部１１から受け取ったデータをエンコードし、変調してRF信号として出力する。
【００３４】
図２は、無線通信端末１００の通信速度設定部１４４が具備する通信速度変更試験テーブル１５０である。
【００３５】
通信速度変更試験テーブル１５０は、各通信速度の上限値毎に複数の通信レベルを対応付け、この通信レベル毎に前述した確率試験の閾値を設けており、この点で、従来の通信速度変更試験テーブルとは異なる。
【００３６】
なお、通信レベルとは、通信レベル判定部１４１により判定された必要通信速度に基づいて設定される値であり、本実施の形態では、通信速度の上限値毎に１〜４までの４段階の値が設定されている。しかしながら、通信レベルの設定方法はこれに限るものではなく、各通信速度の上限値毎に３段階に設定する事もできるし、さらに、通信速度の上限値毎に異なる段階（例えば、9.6kbpsでは４段階、19.2kbpsでは３段階等）に設定しても良い。もちろん、閾値αの値は、本実施の形態で用いられる値に限るものではない。
【００３７】
また、本実施の形態では、通信レベルは、通信レベル判定部１４１にて設定されて通信速度設定部１４４に与えられるが、通信レベル判定部１４１はアプリケーションで必要とされる通信速度を通信速度設定部１４４に通知し、これに基づき通信速度設定部１４４で通信レベルを設定しても良い。
【００３８】
通信速度変更試験テーブル１５０によれば、アプリケーションの通信レベルが「1」と判定され、かつ、RAbit=0である場合（すなわち、通信速度を上げることが可能な場合）、例えば、9.6kbpsにおける通信レベル「1」に対応する閾値αは「255／255」となり、必ずα≧ｘ（0＜ｘ＜1）（確率100％）となるため、通信速度の上限値は必ず次の段階である19.2kbpsに引き上げられる。同様に、19.2kbps、38.4kbpsにおいても、通信レベルが「1」である場合の閾値αは「255／255」であるので、必ず次の段階に引き上げられる。
【００３９】
すなわち、通信速度変更試験テーブル１５０によれば、通信レベルが「1」であると設定されたアプリケーションについては、３回の変更試験で確実に通信速度の上限値が76.8kbpsにまで引き上げられる。
【００４０】
また、RAbit=１である場合（すなわち、通信速度を上げることが好ましくない場合）においても、アプリケーションの通信レベルが「1」である場合、例えば、76.8kbpsにおける通信レベル「1」に対応する閾値αは「0／255」となり、必ずα＜ｘ（０＜ｘ＜１）（確立100％）となるため、通信速度を76.8kbpsに維持できる。
【００４１】
図３は、本発明の第一の実施の形態の無線通信端末１００の行う通信速度設定処理を示すフローチャートである。
【００４２】
通信アプリケーション実行部１１においてアプリケーションが起動すると、まず、無線通信端末１００は、現在、1xEV-DO（以下、rev.0という）環境下にいるのか、1xEV-DO rev.A（以下、rev.Aという）環境下にいるのかを判断する（ステップ１００１）。rev.A環境下にいると判断されれば（ステップ１００１でＮＯ）、所定の手続きを踏んだ上で通信を開始する（本発明とは関係がないので詳述は割愛する）。Rev.0環境下にいると判断されれば（ステップ１００１でＹＥＳ）、まず、一番低い通信速度（9.6kbps）で通信を開始する（ステップ１００２）。また、通信レベル判定部１４１は、アプリケーションに必要な上り通信速度を判定して適切な通信レベルを設定し、通信速度設定部１４４に通知する（ステップ１００３）。無線基地局からRAbitを受信すると、受信したRAbitが「0」であるか否かを判断する。（ステップ１００４）。RAbitが「0」であると判断した場合は（ステップ１００４でＹＥＳ）、現在の通信速度の上限値を一段階上げる方向に動作する。乱数発生部１４２は、乱数ｘ（０＜ｘ＜１）を発生して通信速度設定部１４４に与え（ステップ１００５）、通信速度設定部１４４は、現在の通信速度の上限値（通信開始時は9.6kbps）と通信レベル判別部１４１より通知される通信レベルとに対応する閾値αと、乱数ｘとを比較し（ステップ１００６）、乱数ｘが閾値αより小さいと判断した場合は（ステップ１００６でＹＥＳ）、現在の通信速度の上限値を一段上げる（ステップ１００７）。一方、乱数ｘが閾値α以上であると判断した場合は、現在の通信速度の上限値を維持する（ステップ１００８）。
【００４３】
また、RAbitが「1」であると判断した場合は（ステップ１００４でＮＯ）、現在の通信速度の上限値を一段下げる方向に動作する。乱数発生部１４２は、乱数ｘ（０＜ｘ＜１）を発生して通信速度設定部１４４に与え（ステップ１００９）、通信速度設定部１４４は、現在の通信速度の上限値と通信レベル判別部１４１より通知される通信レベルとに対応する閾値α（RAbitが「0」であるときの閾値αと区別するため、図中はα’と記す。）と、乱数ｘとを比較し（ステップ１０１０）、乱数ｘが閾値αよりも小さいと判断した場合は（ステップ１００６でＹＥＳ）、現在の通信速度の上限値を一段下げ（ステップ１００７）、乱数ｘが閾値α以上であると判断した場合は、現在の通信速度の上限値を維持する（ステップ１００８）。
【００４４】
なお、通信レベル判定部１４１で設定した通信レベルを無線基地局２００に通知しても良い。これにより、無線基地局２００は、各無線通信端末の状態を把握することができ、トラフィックの制御等に役立てることができる。
【００４５】
図４は、本発明の第二の実施の形態である無線通信端末および無線基地局の機能構成を示すブロック図である。
【００４６】
無線通信端末３００は、rev.A対応端末であり、無線基地局４００は、rev.0対応の無線基地局である。
【００４７】
無線通信端末３００は、IP電話等のアプリケーションを実行する通信アプリケーション実行部１１、無線基地局４００からのデータを受信するデータ受信部１２、無線通信端末３００から無線基地局４００へデータを送信するデータ送信部１３、から構成され、さらに、通信レベル判別部１４１、乱数発生部１４２、RAbit抽出部１４３、通信設定部３１１、通信設定切替部３１２を具備する。
【００４８】
また、基地局４００は、無線通信端末等からのデータを受信するデータ受信部４１、無線通信端末等にデータを送信するデータ送信部４２から構成され、さらに、RAbit発生部４３１、通信設定部４３２を具備する。
【００４９】
無線通信端末３００において、データ受信部１２は、無線基地局から受信したRF信号を復調し、復調された受信データをデコードして通信アプリケーション実行部１１０に与える。
【００５０】
通信設定部３１１は、無線通信端末３００の電源投入時に無線基地局４００との間の通信設定を行う。
【００５１】
ここで、通信設定部３１１は、既述の通信レベル毎に複数の通信設定を基地局４００との間に設定する。
【００５２】
すなわち、図５に示すように、例えば、通信レベル「1」に対応する通信設定として、通信速度変更試験テーブル１５０より、各段階における通信レベル「1」に対応する閾値αを抽出して、通信設定(1)とする。同様に、通信レベル「2」に対応する通信設定(2)、通信レベル「3」に対応する通信設定(3)・・・と、通信レベルの数だけ無線基地局との間でコンフィギュレーションを行い、その結果得られた複数の通信設定を通信設定切替部３１２にて保持する。
【００５３】
通信設定切替部３１２は、通信設定部３１１で設定された各通信レベル別の通信設定を記憶保持し、通信レベル判定部１４１より通知される通信レベルに応じて、無線基地局４００との間の通信設定を適切な通信設定に切り替える。
【００５４】
一方、無線基地局４００において、データ受信部４１０は、無線通信端末３００等からのデータを受信し、データ送信部４２０は、無線通信端末３００等へデータを送信する。
【００５５】
RAbit発生部４３１は、通信の混雑具合等により通信速度の上げ下げを指示するRAbitを生成する。
【００５６】
通信設定部４３２は、無線通信端末３００の電源投入時に該無線通信端末３００との間に複数の通信設定を確立し、記憶保持する。
【００５７】
すなわち、本実施の形態において、無線通信端末３００は、電源投入時に無線基地局４００との間で通常行われる通信設定の際に、通信レベル毎に各通信速度に最適な閾値αを定義した複数の通信設定を行い、起動する通信アプリケーションの通信レベルに応じて、該通信設定を切り替えて使用する。
【００５８】
図６は、本発明の第二の実施の形態の無線通信端末３００の動作を示すフローチャートである。
【００５９】
無線通信端末３００は、電源が投入されると、まず、通信設定部３１１において前述の通信レベル毎の複数の通信設定を基地局４００との間で設定する（ステップ３００２）。
【００６０】
通信アプリケーション実行部１１で通信アプリケーションが起動されると（ステップ３００３）、通信レベル判定部１４１において当該アプリケーションの通信レベルを判別し（ステップ３００４）、判別した通信レベルを通信設定切替部３１２に与える。通信設定切替部３１２は、通信レベル判定部１４１より通知された通信レベルに基づいて複数の通信設定より適切なものを選択し（ステップ３００５）、この選択された通信設定を用いて無線通信端末３００は通信を開始する（ステップ３００６）。
【００６１】
無線通信端末３００は、無線基地局４００からRAbitを受信すると、受信したRAbitが「0」であるか否かを判断する。（ステップ３００７）。RAbitが「0」であると判断した場合は（ステップ３００７でＹＥＳ）、現在の通信速度の上限値を一段階上げる方向に動作する。乱数発生部１４２は、乱数ｘ（０＜ｘ＜１）を発生して通信設定切替部３１２に与え（ステップ３００８）、通信設定切替部３１２は、現行の通信設定における現在の通信速度の上限値（通信開始時は9.6kbps）に対応する閾値αと、乱数ｘとを比較し（ステップ３００９）、乱数ｘが閾値αより小さいと判断した場合は（ステップ３００９でＹＥＳ）、現在の通信速度の上限値を一段上げる（ステップ３０１０）。一方、乱数ｘが閾値α以上であると判断した場合は、現在の通信速度の上限値を維持する（ステップ３０１１）。
【００６２】
また、RAbitが「1」であると判断した場合は（ステップ３００７でNO）、現在の通信速度の上限値を一段下げる方向に動作する。乱数発生部１４２は、乱数ｘ（０＜ｘ＜１）を発生して通信設定切替部に与え（ステップ３０１２）、通信設定部３１１は、現在の通信速度の上限値と通信レベル判別部１４１より通知される通信レベルとに対応する閾値α（RAbitが「0」であるときの閾値αと区別するため、図中はα’と記す。）と、乱数ｘとを比較し（ステップ３０１３）、乱数ｘが閾値αよりも小さいと判断した場合は（ステップ３０１３でＹＥＳ）、現在の通信速度の上限値を一段下げ（ステップ３０１３）、乱数ｘが閾値α以上であると判断した場合は、現在の通信速度の上限値を維持する（ステップ３０１４）。
【００６３】
以上、第２の実施の形態によれば、電源投入時の通信設定の際に、アプリケーションに応じた複数の通信レベル毎に各通信速度に最適な閾値αを定義した複数の通信設定が設定されるため、通信アプリケーション起動時には該アプリケーションに最適な通信設定を選択するだけで良く、アプリケーション起動時の処理に負荷をかけずに最適な通信環境を提供することができる。
【図面の簡単な説明】
【００６４】
【図１】本発明の第１の実施形態に係る無線通信端末のブロック構成図である。
【図２】本発明の第１の実施形態に係る通信速度変更試験テーブルの一例を示す図である。
【図３】本発明の第１の実施形態に係る無線通信端末の動作フローを示す図である。
【図４】本発明の第２の実施形態に係る無線通信端末及び無線基地局のブロック構成図である。
【図５】本発明の第２の実施形態に係る通信速度変更試験テーブルおよび通信設定の一例を示す図である。
【図６】本発明の第２の実施形態に係る無線通信端末の動作フローを示す図である。
【図７】従来の通信速度変更試験テーブルを示す図である。
【図８】従来の無線通信端末の通信速度変更の動作フローを示す図である。
【符号の説明】
【００６５】
１００，３００…無線通信端末、２００，４００…無線基地局、１１…通信アプリケーション実行部、１２，４１…データ受信部、１３，４２…データ送信部、１４１…通信レベル判定部、１４２…乱数発生部、１４３…RAbit抽出部、１４４…通信速度設定部、３１１…通信設定切替部、３１２，４３２…通信設定部、４３１、RAbit発生部
【図１】
0004721883.tif 000002
【図２】
0004721883.tif 000003
【図３】
0004721883.tif 000004
【図４】
0004721883.tif 000005
【図５】
0004721883.tif 000006
【図６】
0004721883.tif 000007
【図７】
0004721883.tif 000008
【図８】
0004721883.tif 000009